(57)【要約】  【課題】容器本体と蓋体とがヒンジ部を介して連設され、容器本体と蓋体とを閉蓋状態に保持しうる係合部を備えた包装用容器において、閉蓋時に、不完全な閉蓋状態となることを防止しうる包装用容器を提供することを目的とする。  【解決手段】  内容物を収容するための容器本体と、該容器本体の開口部を塞ぐ蓋体とを備え、該容器本体と該蓋体とがヒンジ部を介して一体成形されてなる包装用容器であって、容器本体および蓋体は、前記開口部に沿って、閉蓋時に互いに重なり合う本体垂下部および蓋体垂下部をそれぞれ有し、本体垂下部および蓋体垂下部には、ヒンジ部と対峙する開閉端側コーナー部、およびヒンジ部に沿った直線部に、それぞれ互いに係合しあう係合部が形成されてなり、該開閉端側コーナー部に形成された係合部は、開閉端側係合部の周方向終端を起点としてヒンジ部側へ向かって徐々に係合高さが低くなるように構成されていることを特徴とする包装用容器による。【選択図】          図３
2011073731.tif 000002
【特許請求の範囲】
【請求項１】
内容物を収容するための容器本体と、該容器本体の開口部を塞ぐ蓋体とを備え、該容器本体と該蓋体とがヒンジ部を介して一体成形されてなる包装用容器であって、
容器本体および蓋体は、前記開口部に沿って、閉蓋時に互いに重なり合う本体垂下部および蓋体垂下部をそれぞれ有し、
本体垂下部および蓋体垂下部には、ヒンジ部と対峙する開閉端側コーナー部、およびヒンジ部に沿った直線部に、それぞれ、互いに係合しあう係合部が形成されてなり、
開閉端側コーナー部に形成された係合部は、開閉端側コーナー部の周方向終端を起点としてヒンジ部側へ向かって徐々に係合高さが低くなるように構成されていることを特徴とする包装用容器。
【請求項２】
前記本体垂下部の上端から容器内方側へ向かって延びる本体フランジ部が延設され、前記ヒンジ部側に位置するコーナー部には、本体垂下部の上部に、容器外方へ向かって低くなる傾斜面が形成されていることを特徴とする請求項１記載の包装用容器。
【発明の詳細な説明】
【技術分野】
【０００１】
本発明は、主として食品等を収容する容器本体と、該容器本体の開口部を閉塞する蓋体とがヒンジ部を介して連設されてなる包装用容器に関する。
【背景技術】
【０００２】
この種の包装用容器としては、一般に、食品等の内容物を収容する容器本体と、該容器本体の開口部を閉塞する蓋体とを備え、容器本体の一端に設けられたヒンジ部によって該容器本体と蓋体とが一体成形された構成のものが知られている。斯かる構成の包装用容器は、惣菜や加工食品等の内容物を収容した後、ヒンジ部を介して蓋体を折り返し、容器本体の開口部を閉塞することで食品等の内容物を密閉し、店頭で陳列、販売されるといった使用態様で用いられている。
【０００３】
また、この種の包装用容器を閉蓋状態に固定する手段として、従来、輪ゴムが使用されていたが、輪ゴムを使用しなくとも閉蓋状態に保持しうる包装用容器も提案されている。斯かる包装用容器は、例えば下記特許文献１に記載の如く、包装用容器の外周面沿って、容器本体と蓋体とを係合するための係合部を形成したものであり、斯かる構成の包装用容器によれば、蓋体を閉じる際に該係合部を係合させるように閉蓋することで、輪ゴム等を使用せずとも蓋体が閉蓋状態に保持されることとなる。
【先行技術文献】
【特許文献】
【０００４】
【特許文献１】実登２５９７９２３号公報
【発明の概要】
【発明が解決しようとする課題】
【０００５】
しかしながら、上記特許文献１記載の如き包装用容器によれば、内容物を収容して蓋体を閉じた際、図１０に示すように、ヒンジ部と対向する側（開閉端側）の係合部のみが係合し、ヒンジ部側の係合部が係合するまできっちりと閉蓋していない、いわゆる不完全な閉蓋状態となる場合があった。すなわち、ヒンジ部と対向する側の係合部が係合しさえすれば、ヒンジ部側の係合部は係合しなくともヒンジ部によって連設されているため、該包装用容器はあたかも閉蓋したような状態となってしまい、使用者も閉蓋したと誤認しやすくなる。食料品店の店頭等においては、使用者も数多くの商品を手際よく陳列する必要があるため、一つ一つの容器について完全な閉蓋状態となっているかどうか、確かめることは煩雑である。しかるに、このような不完全な閉蓋状態のまま該容器が陳列されると、振動によって、あるいは購入しようとした顧客が手に取った際に、不意に蓋体が外れてしまうことがあり、好ましくない。
【０００６】
また、使用者が不完全な閉蓋状態であると気付いた場合には、そのままの状態で陳列することは避けられるが、ヒンジ部側を改めて押えて閉蓋させる必要があり、作業が煩雑になるという問題がある。
【０００７】
本発明は、上記のような従来技術の問題点に鑑み、容器本体と蓋体とがヒンジ部を介して連設され、容器本体と蓋体とを閉蓋状態に保持しうる係合部を備えた包装用容器において、閉蓋時に、不完全な閉蓋状態となることを防止しうる包装用容器を提供することを目的とする。
【課題を解決するための手段】
【０００８】
本発明に係る包装用容器は、内容物を収容するための容器本体と、該容器本体の開口部を塞ぐ蓋体とを備え、該容器本体と該蓋体とがヒンジ部を介して一体成形されてなる包装用容器であって、容器本体および蓋体は、前記開口部に沿って、閉蓋時に互いに重なり合う本体垂下部および蓋体垂下部をそれぞれ有し、該本体垂下部および該蓋体垂下部には、ヒンジ部と対峙する開閉端側コーナー部、およびヒンジ部に沿った直線部に、それぞれ、互いに係合しあう係合部が形成されてなり、開閉端側コーナー部に形成された係合部は、開閉端側コーナー部の周方向終端を起点としてヒンジ部側へ向かって徐々に係合高さが低くなるように構成されていることを特徴とする。
【０００９】
なお、本発明における容器本体および蓋本体の各構成は、閉蓋時における状態を表すものであり、外方とは、容器の内側から容器の外側へ向かって概ね水平に延びる方向をいい、内方とは、容器の外側から容器の内側へ向かって概ね水平に延びる方向をいい、上方および下方とは、容器を水平面上に載置した際の、鉛直方向における上方および下方をいい、周方向とは、容器開口部の周縁に沿った方向をいうものである。また、垂下する、とは、厳密に鉛直方向に垂下する場合に限定されず、傾斜角度を有して下方へ延びる場合をも含む概念である。
【００１０】
上記構成の包装用容器によれば、本体垂下部および蓋体垂下部に形成された係合部が、ヒンジ部に沿った直線部と、ヒンジ部と対峙する開閉端側コーナー部とに形成されているため、容器の両端で蓋体と容器本体とが係合されて閉蓋状態に保持されることとなる。そして、開閉端側コーナー部に形成された係合部は、ヒンジ部側へ向かって開閉端側コーナー部の周方向終端を起点として徐々に係合高さが低くなるように構成されているため、開閉端側コーナー部の終端よりもヒンジ部側においては、閉蓋動作を行う際の該係合部の乗り越え抵抗が小さいものとなり、その結果、閉蓋動作を行った際に不完全な閉蓋状態となることが抑制される。
【００１１】
本発明に係る包装用容器は、好ましくは、前記本体垂下部の上端から容器内方側へ向かって延びる本体フランジ部が延設され、前記ヒンジ部側に位置するコーナー部には、該本体垂下部の上部に、容器外方に向かって低くなる傾斜面が形成されているものとする。
【００１２】
斯かる構成の包装用容器によれば、前記ヒンジ部側のコーナー部において、前記本体垂下部の上部に、容器外方に向かって低くなる傾斜面が形成されているため、閉蓋動作の際には、蓋体垂下部がこの傾斜面によって確実に本体垂下部の外側へと案内され、ヒンジ部が形成された容器一辺側において不完全な閉蓋状態となることを防止できる。
【発明の効果】
【００１３】
以上のように、本発明によれば、容器本体と蓋体とがヒンジ部を介して連設され、且つ、容器本体と蓋体とを閉蓋状態に保持しうる係合部を備えた包装用容器において、閉蓋動作を行った際に不完全な閉蓋状態となることが防止される。
【図面の簡単な説明】
【００１４】
【図１】（ａ）は本発明に係る一実施形態の包装用容器を展開した状態の平面図であり、（ｂ）は該（ａ）におけるＡ−Ａ視断面図である。
【図２】（ａ）は図１の容器本体を蓋体で閉塞した状態の平面図であり、（ｂ）は側面図である。
【図３】（ａ）は本実施形態に係る包装用容器について、容器本体の開閉端側コーナー部を拡大して示した平面図であり、（ｂ）は側面図である。
【図４】（ａ）は本実施形態に係る包装用容器において、開閉端側コーナー部に形成した係合部を示した平面図であり、（ｂ）及び（ｃ）は従来技術における係合部を示した平面図である。
【図５】本実施形態に係る包装用容器のヒンジ部と対峙する辺における垂直断面図（図２（ａ）におけるＢ−Ｂ視断面図）である。
【図６】本実施形態に係る包装用容器の開閉端側コーナー部における断面図（図２（ａ）におけるＣ−Ｃ視断面図）である。
【図７】（ａ）は本実施形態に係る包装用容器の容器本体のヒンジ側コーナー部を拡大して示した平面図であり、（ｂ）は側面図である。
【図８】本実施形態に係る包装用容器のヒンジ部側直線部に形成された係合部を通る断面図である。
【図９】本実施形態に係る包装用容器について、容器本体のヒンジ側コーナー部を拡大して示した斜視図。
【図１０】従来の包装用容器において、不完全に閉蓋された状態を示した側面図。
【発明を実施するための形態】
【００１５】
図１及び図２に示すように、本実施形態の包装用容器１は、平面視略矩形状に構成されており、内容物を載置する容器本体１０と、該容器本体１０の開口部を閉塞する蓋体２０とがヒンジ部３０を介して一体的に成形されたものである。該包装用容器１は、図１に示すような展開した状態で複数の容器が積層され、惣菜店やスーパー等の小売店へと運ばれ、そこで食品等の内容物を容器本体１０に収容した後、図２に示すように蓋体２０で閉塞する、といった手順で流通し、使用されるものである。収容される内容物としては、特に限定されるものではないが、例えば、前記小売店にて調理された温かい食品等が挙げられる。
【００１６】
前記容器本体１０は、図１（ａ）及び（ｂ）に示すように、上記のような内容物を載置する底部１１と、該底部１１の周囲から斜め上方へ向かって傾斜しながら起立した本体周壁部１２と、該本体周壁部１２の上端から外方へ向かって延びた本体フランジ部１３と、該本体フランジ部１３の周囲から垂下した本体垂下部１４と、該本体垂下部１４の下端から外方へと水平に張り出した本体鍔部１５とを備えている。
【００１７】
該本体フランジ部１３は、具体的には、図１（ｂ）に示すように、外側部分に、内方へ向かって低くなるように傾斜した本体フランジ部傾斜面１３ｂと、該本体フランジ部傾斜面１３ｂの内側部分に、該本体フランジ部傾斜面１３ｂの内方周縁よりも隆起した本体フランジ部内周突起１３ａとを備えている。
また、前記本体フランジ部内周突起１３ａの内側面は、本体周壁部１２の上部傾斜面がそのまま延長されて構成されており、本体フランジ部内周突起１３ａの内側面と本体周壁部１２とは、該包装用容器の一辺において、境目のない一つの傾斜面を形成している。
【００１８】
さらに、図１（ａ）に示すように、本実施形態に係る包装用容器１では、該本体フランジ部内周突起１３ａは、複数の切欠き部１３ｃ、１３ｃ・・・によって周方向の複数箇所で分断されたものとなっている。言い換えると、該切欠き部１３ｃは、容器開口部に沿って周方向に形成された本体フランジ部内周突起１３ａの一部が部分的に欠落し、本体フランジ部傾斜面１３ｂが延長されて本体周壁部１２と直接連続するように形成された部分である。本実施形態に係る包装用容器１では、該切欠き部１３ｃは、容器の一辺あたり３乃至４箇所形成されている。
【００１９】
さらに、該容器本体１０の四隅には、矩形を構成する４つのコーナー部が形成されており、具体的には、図１（ａ）に示すように、ヒンジ部３０が設けられた一辺の両端に位置するヒンジ側コーナー部１０ｂ、１０ｂと、該ヒンジ部と対峙する他辺の両端に位置する開閉端側コーナー部１０ａ、１０ａとが形成されている。
【００２０】
一方、蓋体２０は、図１（ａ）及び（ｂ）に示したように、前記底部１１に対向する天板部２１と、該天板部２１の周囲から外方へ向かって下向きに傾斜した蓋周壁部２２とを備えている。また、該蓋体２０の周縁には、閉蓋時において前記本体フランジ部１３と対向する蓋フランジ部２３と、該蓋フランジ部２３の周囲から下方へ向かって形成された蓋体垂下部２４と、該蓋体垂下部２４の下端から外方へ張り出した蓋鍔部２５とが備えられている。また、該蓋体２０には、閉蓋状態において蓋フランジ部２３の内周に沿って下方に突出する蓋フランジ部内周突起２６が備えられている。
なお、上方や下方といった方向は、上述したように、閉蓋状態における方向をいうものである。
【００２１】
そして、閉蓋状態において互いに重なり合う本体垂下部１４および蓋体垂下部２４には、互いに係合する本体側係合部４０および蓋体側係合部５０がそれぞれ形成されている。
【００２２】
具体的には、容器本体１０には、図３（ａ）及び（ｂ）に示すように、ヒンジ部３０と対向するように位置する２箇所の開閉端側コーナー部１０ａ、１０ａに、本体側第一係合部４０、４０がそれぞれ形成されている。該本体側第一係合部４０は、円弧状に湾曲した該開閉端側コーナー部に沿って周方向に円弧状に湾曲して延びるように形成されている。また、該本体側第一係合部４０は、本体垂下部１４の上部４１が外方へと膨出し、下部４２が内方へと窪んだ形状となっている。言い換えると、本実施形態における本体側第一係合部４０は、円弧状に湾曲した開閉端側コーナー部１０ａに沿うようにして円弧状に張り出した隆起部４１を有するとともに、該開閉端側コーナー部１０ｂに沿うようにして円弧状に窪んだ溝部４２を有する構成となっている。
【００２３】
さらに、該本体側第一係合部４０の先端４０ａは、開閉端側コーナー部１０ａの周方向終端を起点として、前記ヒンジ側コーナー部１０ｂへ向かって徐々に係合高さが低くなるように構成されている。本実施形態においては、この係合高さは、前記隆起部４１と溝部４２との段差により構成されるものである。従って、図３（ａ）および（ｂ）に示すように、本実施形態の容器本体１０では、本体側第一係合部４０の先端４０ａは、開閉端側コーナー部１０ａの周方向終端を起点として前記ヒンジ側コーナー部１０ｂへ向かって徐々に前記隆起部４１と溝部４２との段差が小さくなるように構成されている。
【００２４】
ここで、本発明における「コーナー部」とは、図４に示すように、容器の四隅において角を成すように（一般的には、円弧状に）本体垂下部および蓋体垂下部が湾曲した部分をいうものである。また、ヒンジ部が設けられた側にあるコーナー部を「ヒンジ側コーナー部」と称し、ヒンジ部と対峙する側に設けられたコーナー部を「開閉端側コーナー部」と称する。さらに、本発明において、コーナー部の終端とは、開閉端側コーナー部とヒンジ側コーナー部とを結ぶ辺と、開閉端側コーナー部との境目をいうものである。
【００２５】
一方、蓋体垂下部２４にも、本体垂下部１４に形成された本体側第一係合部４０と係合しうる蓋体側第一係合部５０が形成されている。具体的には、図２（ｂ）に示すように、蓋体垂下部２４には、開閉端側コーナー部に沿うようにして周方向に延びるように形成された蓋体側第一係合部５０が形成されている。本実施形態では、該蓋体側第一係合部５０は、外方へ向かって膨出した隆起部５１、および内方へ向かって窪んだ溝部５２から構成されている。該蓋体側第一係合部５０も、前記本体側第一係合部４０と対応するように、開閉端側コーナー部の周方向終端を起点としてヒンジ側コーナー部へ向かって係合高さが低くなるように構成されている。
【００２６】
本実施形態に係る包装用容器１の閉蓋時には、図５に示すように、容器本体１０の本体垂下部１４と蓋体２０の蓋体垂下部２４とが互いに重なり合い、且つ、本体鍔部１５と蓋鍔部２５とが当接し合う。これに対し、本体フランジ部１３と蓋フランジ部２３とは当接することなく、対峙した状態となる。なお、重なり合うとは、両者が当接し合う場合のみならず、両者の間に隙間が形成されるように近接し合う状態をも含むものである。
また、開閉端側コーナー部においては、図６に示すように、本体側第一係合部４０と、蓋体側第一係合部５０とが、互いに係合し合うことで閉蓋状態を保持しうる構成となっている。本実施形態では、蓋体側第一係合部５０の溝部５２が、本体側第一係合部４０の隆起部４１を乗り越えて溝部４２内に嵌ることで、本体側第一係合部４０と蓋体側第一係合部５０とが係合するように構成されている。
【００２７】
一方、ヒンジ部３０が設けられた一辺、即ち、ヒンジ部側の直線部にも、本体垂下部１４と蓋体垂下部２４とに係合部が形成されている。具体的には、図７および図８に示すように、前記ヒンジ側コーナー部１０ｂに近接した、直線部の両端２箇所に、それぞれ、本体側第二係合部４５と蓋体側第二係合部５５とが形成されている。本実施形態では、これら本体側第二係合部４５および蓋体側第二係合部５５は、前記本体側第一係合部４０と蓋体側第一係合部５０と同様に、隆起部と溝部とが係合しあう構成となっている。
【００２８】
さらに、本実施形態では、図７（ａ）および（ｂ）、並びに図９に示すように、容器本体１０の前記ヒンジ側コーナー部１０ｂにおいて、本体垂下部１４の上部に、容器外方へ向かって低くなる傾斜面１９が形成されている。具体的には、該傾斜面１９は、ヒンジ側コーナー部１０ｂの円弧に沿うようにして円弧状に湾曲して形成されており、本体フランジ部傾斜面１３ｂと本体垂下部１４とによって構成される角を、面取りしたような形状に形成されている。
【００２９】
斯かる構成の包装用容器１によれば、開閉端側コーナー部１０ａに形成された本体側第一係合部４０（隆起部４１）および蓋体側第一係合部５０（溝部５２）の先端が、開閉端側コーナー部１０ａの周方向終端を起点として、ヒンジ側コーナー部１０ｂに向かって係合高さが徐々に低くなるように構成されているため、閉蓋動作を行う際の該容器を上下から押える力が、本体側第一係合部４０（隆起部４１）及び蓋体側第一係合部５０（溝部５２）の全体に伝わり易いものとなる。言い換えると、図４（ｂ）に示した従来技術のように、隆起部１４１と窪み部１４２とからなる本体側係合部１４０、およびこれと係合する蓋体側係合部（図示せず）が、容器全周に形成されている場合や、図４（ｃ）に示した従来技術のように、隆起部１４１と窪み部１４２とからなる本体側係合部１４０、およびこれと係合する蓋体側係合部（図示せず）が、開閉端側コーナー部からヒンジ側コーナー部へ向かって長く延びるように形成されている場合には、閉蓋動作を行う際の該容器を上下から押える力が、これら係合部の全体にまで伝わり難いものとなっており、ヒンジと対峙する開閉端側コーナー部を押えるだけでは、不完全な閉蓋状態となりやすいものとなっていた。
これに対し、本実施形態に係る包装用容器１では、この係合部が、開閉端側コーナー部１０ａに局所的に形成され、ヒンジ側コーナー部１０ｂには、敢えて係合部が形成しない構成としているため、該容器を上下から押える力が該係合部全体に亘って伝わり易くなるとともに、ヒンジ部側では不完全な閉蓋状態となることが防止されることとなる。
そして、ヒンジ部側では、ヒンジ側コーナー部１０ｂに近接した、直線部の両端２箇所に、それぞれ、本体側第二係合部４５と蓋体側第二係合部５５とが形成されているため、ヒンジ部側においても、容器本体は蓋体によってきっちりと閉じられた状態となる。
【００３０】
また、本実施形態に係る包装用容器１は、容器本体１０の前記ヒンジ側コーナー部１０ｂにおいて、本体垂下部１４の上部に、容器外方へ向かって低くなる傾斜面１９が形成されているため、蓋体２０が容器本体１０に対して左右にずれるように閉蓋動作が行われたとしても、該傾斜面１９が蓋体２０の蓋鍔部２５を本体垂下部１４の外側へと案内し、蓋鍔部２５と本体フランジ部傾斜面１３ｂとが噛み合うことを防止し、速やかに完全な閉蓋状態となるよう導くことができる。よって、該傾斜面１９を備えたことにより、不完全な閉蓋状態となることがより効果的に防止されることとなる。
【００３１】
また、本実施形態に係る包装用容器１は、図５および図６に示したように、蓋フランジ部２３が、内方に向かって低くなるように傾斜した形状となっている。斯かる構成であれば、万一、該蓋フランジ部２３に水滴が付着した場合であっても、その傾斜によって水滴が内側へ流れやすくなり、言い換えると、外側へ漏れ出す可能性を低減することができる。
【００３２】
また、図５および図６に示したように、閉蓋時には、蓋体垂下部２４が本体垂下部１４の外側から当接し、蓋体２０が容器本体１０を外嵌した状態となり、蓋鍔部２５は、本体鍔部１５と当接した状態となり、本体フランジ部１３と蓋フランジ部２３とは、ほぼ全域に亘って水による毛細管現象が生じない程度に上下に離間した状態となっている。より具体的には、本体フランジ部１３と蓋フランジ部２３との隙間は、例えば、本体フランジ部から垂直方向に１ｍｍ〜５ｍｍの隙間を有するように構成され、好ましくは、２ｍｍ〜４ｍｍの隙間を有するように構成されている。
【００３３】
斯かる構成の包装用容器によれば、通常は、少なくとも一部は互いに当接させるように構成され、容器の密閉状態を作り出す機能を発揮させるフランジ面を、敢えて、その全域が当接しないように構成することにより、該フランジ面を介して水滴が容器外部へ漏れ出すことを効果的に防止することができる。
【００３４】
また、本実施形態においては、前記本体フランジ部１３と前記蓋フランジ部２３との隙間は、外方へ向かって拡大するように構成されている。言い換えると、前記本体フランジ部傾斜面１３ｂよりも、前記蓋フランジ部２３の傾斜角度が大きくなるように構成されている。より具体的には、前記本体フランジ部傾斜面１３ｂは０°より大きく５０°以下、好ましくは５〜４０°、前記蓋フランジ部２３の傾斜角度は０°より大きく６０°以下、好ましくは５〜４５°、両者の差は２〜３０°、好ましくは５〜１０°となるように構成されている。
つまり、本実施形態においては、前記本体フランジ部１３と前記蓋フランジ部２３との隙間が外方へ向かって拡大するように構成されたことで、上述の如き傾斜面１３ｂによる漏れ防止作用と、上述の如き傾斜した蓋フランジ部２３による漏れ防止作用に加え、水の表面張力によって間隔の狭い内方に留めようとする作用により、さらなる漏れ防止が図られている。
【００３５】
さらに、本実施形態では、前記蓋フランジ部内周突起２６の下端が、本体周壁部１２に当接するように構成されている。斯かる構成により、蓋天板２１や蓋周壁部２２から流下した水滴が、本体周壁部１２へと伝わりやすくなり、フランジ部の隙間へ侵入することが防止される。また、蓋フランジ部内周突起２６の下端が、本体周壁部１２に当接していれば、水溜め部１７等に溜まった水滴が、容器の傾き等によってフランジ部へ侵入することを防止する。
【００３６】
また、本実施形態においては、容器本体１０の底部１１には、該底部１１から隆起した長状の隆起部１６が、複数本平行に形成されている。該隆起部１６は、収容する内容物を容器本体１０の底部１１から浮かせて載置しうるものであり、該隆起部１６を備えることにより内容物が結露水によって濡れることを防止することができる。さらに、本実施形態においては、底部１１の外側部分、即ち、本体周壁部１２と隣接する位置に、底部１１よりも下方へ窪んだ水溜め部１７が複数形成されている。斯かる水溜め部１７を備えることにより、蓋体から多量の水滴が落下し且つ該包装用容器が傾いたような場合においても、内容物が該水滴で濡れることを防止することができる。
【００３７】
該蓋フランジ部内周突起２６を設けることにより、後述するように、蓋天板２１や蓋周壁部２２において結露した水滴を、蓋フランジ部２３と本体フランジ部１３との隙間に導くことなく、速やかに本体周壁部１２等を介して水溜め部１７等へと誘導することができる。
【００３８】
また、該蓋フランジ部内周突起２６の下端は、図５および図６に示す如く、水平面を有しない形状とすることが好ましく、周方向と垂直な断面において、尖った形状とすることがより好ましい。具体的には、該蓋フランジ部内周突起２６の下端は、周方向と垂直な断面において、水平長さが１．５ｍｍ以下、あるいは、曲率半径が３ｍｍ以下となるような形状とすることが好ましい。
斯かる形状とすることにより、蓋天板２１や蓋周壁部２２において結露した水滴が流下してきた際、この蓋フランジ部内周突起２６の下端において水滴が大きく成長することを防止できる。つまり、この蓋フランジ部内周突起２６の下端において水滴が大きく成長すると、フランジの隙間に付着して外部へ漏れ出す危険性が高くなるが、上記のように形成することにより、小さい水滴であっても落下しやすくし、水滴の成長を防止して外部への漏れをより確実に防止することができる。
【００３９】
このように、本実施形態に係る包装用容器１は、容器内の蓋等で結露して発生した水滴が、容器本体と蓋体との隙間から外部へ漏れ出すことを防止する構成のものであるが、斯かる構成の包装用容器１では、内方へ向かって低くなるよう傾斜した本体フランジ部傾斜面１３ｂが備えられているため、閉蓋動作時に、蓋鍔部２５が誤って本体フランジ部傾斜面１３ｂの上に乗ってしまうと、その傾斜があるが故に、正常な閉蓋状態へと戻り難く、不完全な閉蓋状態となる可能性が比較的高いものである。従って、斯かる構成の包装用容器１の構成として、上述の如き開閉端側コーナー部とヒンジ側直線部に係合部を配置した構成、開閉端側コーナー部における係合部の構成、およびヒンジ側コーナー部における傾斜面の構成を採用したことにより、不完全な閉蓋状態となる問題を効果的に解消することができる。
【００４０】
なお、特に言及していないが、本実施形態における容器本体１０および蓋体２０は、例えば樹脂製シートを熱成型法によって成形され得るものであり、上述の各部の境界部分は連続しており、また、必要に応じた曲率半径で湾曲した（丸みを持たせた）態様で形成されている。
【００４１】
本発明に係る包装用容器は、上記実施形態に限定されるものではなく、本発明の要旨を逸脱しない範囲内において種々変更を加え得ることは勿論である。
【００４２】
例えば、上記実施形態では、容器本体１０には隆起部４１と溝部４２とからなる本体側第一係合部４０や本体側第二係合部４５を備え、蓋体２０には、隆起部５１と溝部５２とならなる蓋体側第一係合部５０や蓋体側第二係合部５５を備えた場合について説明したが、これら係合部の形状は本実施態様に限定されるものではなく、容器本体と蓋体とを係止して閉蓋状態に保持しうるものであれば、任意の形状を採用し得る。
【００４３】
また、上記実施形態では、閉蓋時に、本体フランジ部と蓋フランジ部とが当接しない、いわゆる液漏れ防止タイプの包装用容器について説明したが、本発明はこのような態様に限定されるものではなく、本体フランジ部と蓋フランジ部とが当接するような一般的な蓋付き包装用容器に対しても適用することができる。
【００４４】
また、蓋体の端部（例えば、前記蓋鍔部の外周部）には、図示しないが、熱成形による細かな凹凸加工やエンボス加工を施すことにより、側面視にて波形（正弦波、三角波、台形波等）の外縁線、即ち、直線ではない外縁線を備えるようにしてもよい。これにより、蓋体の外周縁のエッジの鋭利さが解消されるため、蓋体を開閉する際の指先を保護することができ、また、包装フィルム（図示しない）を使用してラッピングする際に包装フィルムが裂断するのを防止することができる。さらに、蓋体の外周縁の強度が増し、蓋体が裂断するのを防止する効果もある。なお、上記した外周縁のエッジの鋭利さを解消するための種々の施策は、容器本体の外周縁部（即ち、本体鍔部の外周部）に施してもよい。
【符号の説明】
【００４５】
１…包装用容器、１０…容器本体、１１…底部、１２…本体周壁部、１３…本体フランジ部、１３ａ…本体フランジ部内周突起、１３ｂ…本体フランジ部傾斜面、１３ｃ…切欠き部、１４…本体垂下部、１５…本体鍔部、１６…隆起部、１７…水溜め部、１９…傾斜面、２０…蓋体、２１…蓋天板、２２…蓋周壁部、２３…蓋フランジ部、２４…蓋体垂下部、２５…蓋鍔部、２６・・・蓋フランジ部内周突起、３０…ヒンジ部、４０…本体側係合部、４１…隆起部、４２…溝部、５０…蓋体側係合部、５１…隆起部、５２…溝部
【図１】
2011073731.tif 000003
【図２】
2011073731.tif 000004
【図３】
2011073731.tif 000005
【図４】
2011073731.tif 000006
【図５】
2011073731.tif 000007
【図６】
2011073731.tif 000008
【図７】
2011073731.tif 000009
【図８】
2011073731.tif 000010
【図９】
2011073731.tif 000011
【図１０】
2011073731.tif 000012